(57)【要約】      （修正有）【課題】災害時及びアウトドアに際して必要なカセットコンロ（携帯バーナー）や食器類及び使用ガスを安全にして、かつ容易に取り出せると共に保管でき、持ち運びが極めて便利に形成したコンパクトクッキングを提供する。【解決手段】硬質性の合板本体１…で所定の縦、横寸法及び高さを成形したボックス側に、固定間仕切り板を基枠とし、移動仕切り板４…５…を使用して無駄空間を減らし、本体ボックス１の開閉部にスライド式の蓋２…を使用することで強度が増し、側面に取っ手３を具備することを特徴とする。【選択図】図１
2010162305.tif 000002
【特許請求の範囲】
【請求項１】
硬質性の合板等で所望の縦、横寸法及び高さに成形したボックスの中に、移動仕切り板、固定仕切り板等で仕切り枡を作り、スライド式の蓋をはめ込むことでボックス自体の耐久性を上げ、取っ手を具備することを特徴に設けたコンパクトクッキングである。
【発明の詳細な説明】
【技術分野】
【０００１】  この発明は、地震による災害時・アウトドア等屋外生活に備え、例えば、ミニカセットコンロ（又は携帯バーナー）・カセット燃料（バ−ナ−燃料）・鍋・ドンブリ・割り箸・皿・まな板・包丁・シャモジ・スプーン・フォーク・お玉・調味料ミニラップ等を保管するのに用いられるコンパクトクッキングに関する物である。
【背景技術】
【０００２】  従来、災害時及びアウトドア等の屋外生活に際して必要な上記コンロや食器類は、軟質性の素材で形成されたバックや袋、プラスチックケース、コンテナ等で保管をしていた。
【発明の開示】
【発明が解決しようとする課題】
【０００３】  これは次のような欠点があった
（イ）上記従来の軟質性バックや袋、プラスチックケ−ス、コンテナでは同じ形状物を入れ、運ぶのを考慮した大きさで形成されていているため、収納容量や保管量が不十分で持ち運びが不便である。
（ロ）上記従来の軟質性素材では衝撃荷重における外観、収納品等の破損はやむを得なかった。無論耐久性が減少するため、収納に不適切である。
本発明は、以上のような欠点をなくすためになされたものである。
【課題を解決するための手段】
【０００４】  本発明は上記従来技術の有する問題点に鑑みてなされたもので、合板の堅枠で固定したボックス本体を形成し、このボックス本体の上面開口部に溝を付きスライド式の蓋をし、本体内部は固定仕切り板と移動式仕切り板を要し、合板の耐久性を高めると共に、内部収納品の散乱を無くし、側面には取っ手を付け災害時、アウトドア等において持ち運びが安全かつ便利であるようにしたものである。本発明は以上の構成よりなるコンパクトクッキングである。
【発明の効果】
【０００５】（イ）内部は固定仕切り板や移動仕切り板の使用によって、収納品の無駄なスペ−スがなく整理整頓ができ、不足分の確認等も可能になり、側面に取っ手を使用するため持ち運びが便利になった。
（ロ）硬質性の合板素材を使用し、内部に仕切り板等を設け、上部開口部をスライド式の蓋にすることにより、収納品及び外観は衝撃荷重における破損等がいちじるしく減少し、積み重ねも可能である。
【発明を実施するための最良の形態】
【０００６】  以下、本発明の実施の一形態を図１ないし図１−１、図２によって詳記すると当該収納ボックスはボックス本体１と、このボックス本体１の開口部スライド式開閉蓋２、取っ手３、移動仕切り板４・５・５ｂを具備している。【０００７】  上記ボックス本体１は硬質性の合板を使い、底板をはめ込むことにより直方体形状とし、図４…ボックス本体側面内側と中央固定仕切り板を接合し、中央固定仕切り板は、上部開口部スライド式の蓋の下で高さを止め固定をする。図２…４・５または５ｂ…移動仕切り板を、本体中に取り付け、本体内側開閉部には溝を掘り、合板スライド式の蓋２を組み立て構成されている。
当核ボックス本体１の組み立て施工上、接合部分に酢酸ビニル樹脂系の接着剤を使用し、ステ−プル及びビス締め止めが最も望ましい。【０００８】  上記移動仕切り板５は図４…１−１…５ｃ…ボックス本体内側と中央間仕切り側面中底から５ｂの幅が入る溝を開け、酢酸ビニル樹脂系の接着剤を使用し接着をする。高さはミニコンロの高さで決まる。５ｃ…によって移動仕切り板５は上部で収まり、合板スライド式の蓋との間に空間ができ、小物・皿（図示しない）等が収納可能になり、下部ではミニコンロが収納可能となる。また、図５…移動仕切り板５ｂは、移動仕切り板５を取り外し…５ｃ…の溝にはめ込み、四個の枡を作る。枡の中には図５…２２携帯バーナー…２１バーナーガスが収納可能になる。５ｂの高さはスライド式の蓋の下部までの高さである。【０００９】  上記移動仕切り板４は本体１と同様、硬質性の合板で固定し、中央仕切り板を形成して、底板を取り付けることにより直方体形状となる。底板は図２…７の合板にポリプロピレンシ−トを装着することにより、「まな板」として使用できる。【００１０】  移動仕切り板４は図４…１−２…６ｂ…上部で収まり、合板スライド式の蓋との間に空間ができる。移動仕切り板４の底板と合板スライド式の蓋の間隔は、収納鍋の大きさにより異なる。移動仕切り板４の高さは６ｃｍが適度。（鍋蓋は摘みを鍋の中に向ける）本発明は１８ｃｍの鍋で作成した。
移動仕切り板４の内側には図３…６ａ…内側に外観と同じ高さの間仕切りを固定することにより、強度を増す。間仕切りは図３…８・１４を収納するため枡の幅は限られる。１１・１２・１３同様である。【００１１】  移動仕切り板４の内側には［選択図］図２−ａ…６ｃ…は本体内側と中央間仕切り板内側に酢酸ビニル樹脂系の接着剤を使用し固定する。高さは移動仕切り板本体４の二分の一。
移動仕切り板本体４と中央間仕切り板内側の６ｃ…固定枠と水平になる蓋の部分は合板厚み幅で図３…９…の幅がスライド可能だけ溝を付き９…の蓋を納める。蓋の上には摘みをつけ、摘みの底は平にカットする。
摘みの高さは移動仕切り板本体４から出てはならない。【００１２】  本体１の中底には図４…１−２…６ｂ…を本体内側に酢酸ビニル樹脂系の接着剤を使用し、高さ４ｃｍの間仕切りを固定する。従って図４…２０は皿を収納するため大きさも自然に決まる。高さを４ｃｍで作成するとミニラップも図４…１８に購入可能になる。（図示しない）
上記の形状のボックスの中に収納されているコンロ・食器類は、災害時・アウトドア等でも損傷もなく安全に保管されることになる。【００１３】  また、直方体形状であるため車のトランク内、室内の避難口近く等にもコンパクトで常備しやすく、取っ手が具備いているため片手で移動が可能である。
【図面の簡単な説明】
【００１４】
【図１】本発明に係るコンパクトクッキングの一実施形態を示す使用状態の縦面図である。
【図１−１】同上の一実施形態を示す分解斜視図である。
【図２】同上の一実施形態を示す使用状態の断面図である。［選択図］図２移動仕切り板本体４の断面図である。
【図３】移動仕切り板本体４の一実施形態を示す使用状態の平面図である。
【図４】ボックス本体底面の一実施形態を示す使用状態の平面図である。
【図５】ボックス本体底面５ｂを使用の一実施形態を示す使用状態の平面図である。
【図６】ボックス本体に購入可能の一実施形態を示す使用状態の平面図である。
【符号の説明】
【００１４】１    ボックス本体
２    スライド式の蓋
３    取っ手
４、５、５ｂ  移動仕切り板
６ａ、６ｂ、６ｃ、  高さ調整用仕切り板
７    まな板
８    １８ｃｍ鍋
９    割り箸入れ収納ケ−ススライド蓋
１１、１２、１３  調味料
１４    ドンブリ
１５    カセットコンロ
１６    カセットコンロガス・お玉
１７    コップ
１８    包丁またはミニラップ
１９    スプーン・フォーク
２０    皿
２１    ガスバーナーガス
２２    携帯バ−ナ−
【図１】
2010162305.tif 000003
2010162305.tif 000004
【図２】
2010162305.tif 000005
【図４】
2010162305.tif 000006
【図５】
2010162305.tif 000007
【図６】
2010162305.tif 000008
【手続補正書】
【提出日】平成21年3月31日(2009.3.31)
【手続補正１】
【補正対象書類名】図面
【補正対象項目名】全図
【補正方法】変更
【補正の内容】
【図１】
2010162305.tif 000009
【図１−１】
2010162305.tif 000010
【図２】
2010162305.tif 000011
【図３】
2010162305.tif 000012
【図３−４】
2010162305.tif 000013
【図３−４ｂ】
2010162305.tif 000014
【図４】
2010162305.tif 000015
【図５】
2010162305.tif 000016
【図６】
2010162305.tif 000017
【手続補正２】
【補正対象書類名】明細書
【補正対象項目名】全文
【補正方法】変更
【補正の内容】
【発明の詳細な説明】
【技術分野】
【０００１】  この発明は、地震による災害時・アウトドア等屋外生活に備え、例えば、ミニカセットコンロ（又は携帯バーナー）・カセット燃料（バ−ナ−燃料）・鍋・ドンブリ・割り箸・皿・まな板・包丁・シャモジ・スプーン・フォーク・お玉・調味料ミニラップ等を保管するのに用いられるコンパクトクッキングに関する物である。
【背景技術】
【０００２】  従来、災害時及びアウトドア等の屋外生活に際して必要な上記コンロや食器類は、軟質性の素材で形成されたバックや袋、プラスチックケ−ス、コンテナ等で保管をしていた。
【発明の開示】
【発明が解決しようとする課題】
【０００３】  これは次のような欠点があった（イ）上記従来の軟質性バックや袋、プラスチックケ−ス、コンテナでは同じ形状物を入れ、運ぶのを考慮した大きさで形成されていているため、収納容量や保管量が不十分で持ち運びが不便である。（ロ）上記従来の軟質性素材では衝撃荷重における外観、収納品等の破損はやむを得なかった。無論耐久性が減少するため、収納に不適切である。本発明は、以上のような欠点をなくすためになされたものである。
【課題を解決するための手段】
【０００４】  本発明は上記従来技術の有する問題点に鑑みてなされたもので、合板の堅枠で固定したボックス本体を形成し、このボックス本体の上面開口部に溝を付きスライド式の蓋をし、本体内部は固定仕切り板と移動式仕切り板を要し、合板の耐久性を高めると共に、内部収納品の散乱を無くし、側面には取っ手を付け災害時、アウトドア等において持ち運びが安全かつ便利であるようにしたものである。本発明は以上の構成よりなるコンパクトクッキングである。
【発明の効果】
【０００５】（イ）内部は固定仕切り板や移動仕切り板の使用によって、収納品の無駄なスペ−スがなく整理整頓ができ、不足分の確認等も可能になり、側面に取っ手を使用するため持ち運びが便利になった。（ロ）硬質性の合板素材を使用し、内部に仕切り板等を設け、上部開口部をスライド式の蓋にすることにより、収納品及び外観は衝撃荷重における破損等がいちじるしく減少し、積み重ねも可能である。
【発明を実施するための最良の形態】
【０００６】  以下、本発明の実施の一形態を図１ないし図１−１、図２によって詳記すると当該収納ボックスはボックス本体１と、このボックス本体１の開口部スライド式開閉蓋２、取っ手３、移動仕切り板及びケ−ス４・５・５ｂを具備している。【０００７】  上記ボックス本体１は硬質性の合板を使い、底板をはめ込むことにより直方体形状とし、図１−１…ボックス本体側面内側と中央固定仕切り板を接合し、中央固定仕切り板は、上部開口部スライド式の蓋の下で高さを止め固定をする。図２…４・５または５ｂ…移動仕切り板を、本体中に取り付け、本体内側開閉部には溝を掘り、合板スライド式の蓋２を組み立て構成されている。当核ボックス本体１の組み立て施工上、接合部分に酢酸ビニル樹脂系の接着剤を使用し、ステ−プル及びビス締め止めが最も望ましい。【０００８】  上記移動仕切り板５は図４…５ｃ…ボックス本体内側と中央間仕切り側面底から５ｂの幅が入る溝を開け、酢酸ビニル樹脂系の接着剤を使用し接着をする。高さはミニコンロの高さで決まる。５ｃ…によって移動仕切り板５は上部で収まり、合板スライド式の蓋との間に空間ができ、小物・皿（図示しない）等が収納可能になり、下部ではミニコンロが収納可能となる。また、図５…移動仕切り板５ｂは、移動仕切り板５を取り外し…５ｃ…の溝にはめ込み、四個の枡を作る。枡の中には…２２携帯バーナー…２１バーナーガスが収納可能になる。５ｂの高さはスライド式の蓋の下部までの高さである。【０００９】  上記移動仕切りケ−ス４は本体１と同様、硬質性の合板で固定し、中央仕切り板を形成して、底板を取り付けることにより直方体形状となる。底板は図２…７の合板にポリプロピレンシ−トを装着することにより、「まな板」として使用できる。【００１０】  移動仕切りケ−ス４は図２…６ｂ…上部で収まり、合板スライド式の蓋との間に空間ができる。移動仕切り板４の底板と合板スライド式の蓋の間隔は、収納鍋の大きさにより異なる。移動仕切りケ−ス４の高さは６ｃｍが適度。（鍋蓋は摘みを鍋の中に向ける）本発明は１８ｃｍの鍋で作成した。移動仕切りケ−ス４の内側には図３…図３−４…６ａ…内側に外観と同じ高さの間仕切りを固定することにより、強度を増す。間仕切りは図３…８・１４を収納するため枡の幅は限られる。１１・１２・１３同様である。【００１１】  移動仕切りケ−ス４の内側には図３…図３−４ｂ…６ｃ…は本体内側と中央間仕切り板内側に酢酸ビニル樹脂系の接着剤を使用し固定する。高さは移動仕切り板本体４の二分の一。移動仕切りケ−ス４と中央間仕切り板内側の６ｃ…固定枠と水平になる蓋の部分は合板厚み幅で図３…図３−４ｂ…９…の幅がスライド可能だけ溝を付き９…の蓋を納める。蓋の上には摘みをつけ、摘みの底は平にカットする。摘みの高さは移動仕切りケ−ス４から出てはならない。【００１２】  本体１の中底には図４…６ｂ…を本体内側に酢酸ビニル樹脂系の接着剤を使用し、高さ４ｃｍの間仕切りを固定する。従って図４…２０は皿を収納するため大きさも自然に決まる。高さを４ｃｍで作成するとミニラップも図４…１８に購入可能になる。（図示しない）上記の形状のボックスの中に収納されているコンロ・食器類は、災害時・アウトドア等���も損傷もなく安全に保管されることになる。【００１３】  また、直方体形状であるため車のトランク内、室内の避難口近く等にもコンパクトで常備しやすく、取っ手が具備いているため片手で移動が可能である。
【図面の簡単な説明】
【００１４】
【図１】本発明に係るコンパクトクッキングの一実施形態を示す使用状態の斜視図である。
【図１−１】同上の一実施形態を示す分解斜視図である。
【図２】同上の一実施形態を示す使用状態の縦断面図である。
【図３】移動仕切りケ−ス４の一実施形態を示す使用状態の平面図である。
【図３−４】移動仕切りケ−ス４…６ａの一実施形態を示す使用状態の平面図である。
【図３−４ｂ】移動仕切りケ−ス４…６ｃの一実施形態を示す使用状態の断面図である。
【図４】ボックス本体底面５ｃと６ｂを使用の一実施形態を示す使用状態の平面図である。
【図５】ボックス本体底面５ｂを使用の一実施形態を示す使用状態の平面図である。
【図６】ボックス本体に購入可能の一実施形態を示す使用状態の平面図である。
【符号の説明】
【００１４】１    ボックス本体２    スライド式の蓋３    取っ手４    移動仕切りケ−ス５、５ｂ  移動仕切り板６ａ、６ｂ、６ｃ、  高さ調整用仕切り板７    まな板８    １８ｃｍ鍋９    割り箸入れ収納ケ−ススライド蓋１０  割り箸入れ収納スペ−ス１１、１２、１３  調味料１４    ドンブリ１５    カセットコンロ１６    カセットコンロガス・お玉１７    コップ１８    包丁またはミニラップ１９    スプーン・フォーク２０    皿２１    ガスバーナーガス２２    携帯バ−ナ−